(57)【要約】  車両用表示装置１は、車両に関する情報を含む車両情報画像を表示するための表示部１３を備える。さらに、該車両情報画像が３次元画像であり、ある固定の視点位置からみた車両情報画像の車両情報画像を生成する画像処理部１１３と、該車両情報画像を表示部１３に表示する画像表示処理部１１４と、車両の走行状態を検知するＥＴＣ情報検知部２１とを備える。そして、画像処理部１１３は、ＥＴＣ情報検知部２１が検知したＥＴＣ情報に応じて、車両情報画像を所定の回転軸に対して所定角度だけ回転させる。
2007537908.tif 000002
【特許請求の範囲】
【請求項１】
車両に搭載され、該車両に関する情報を含む車両情報画像を表示するための表示部を備える車両用表示装置であって、
該車両情報画像の基本画像となる第１の車両情報画像と、該第１の車両情報画像を３次元的に回転させた１以上の第２の車両情報画像とを有することを特徴とする車両用表示装置。
【請求項２】
前記第２の車両情報画像の横幅は、前記第１の車両情報画像の横幅よりも短いことを特徴とする請求項１に記載の車両表示装置。
【請求項３】
前記第２の車両情報画像の縦幅は、前記第１の車両情報画像の縦幅よりも短いことを特徴とする請求項１に記載の車両表示装置。
【請求項４】
前記第２の車両情報画像の表示面積は、前記第１の車両情報画像の表示面積よりも小さいことを特徴とする請求項１に記載の車両表示装置。
【請求項５】
前記第１の車両情報画像と、前記第２の車両情報画像とは、車両の走行状態によって切り換えることを特徴とする請求項１から４のいずれか１項に記載の車両表示装置。
【請求項６】
車両に搭載され、該車両に関する情報を含む車両情報画像を表示するための表示部を備える車両用表示装置であって、
該車両情報画像の基本画像となる第１の車両情報画像を有し、
前記第１の車両情報画像を必要に応じて所定の回転軸に対して所定角度だけ回転させた第２の車両情報画像を生成する画像生成部と、
前記画像生成部が生成した第２の車両情報画像を表示部に表示する画像表示処理部とを備えることを特徴とする車両用表示装置。
【請求項７】
車両の走行状態を検知する車両走行状態検知部を備え、
前記画像生成部は、前記車両走行状態検知部が検知した走行状態に応じて、前記第１の車両情報画像を回転させることを特徴とする請求項６に記載の車両用表示装置。
【請求項８】
前記表示部に表示する画像パーツの種類と、各画像パーツの回転状態、及び前記表示部における配置座標を、前記車両の走行状態と対応付けて記憶している画像パーツ表示情報記憶部を有し、
前記画像生成部は、該画像パーツ表示情報記憶部から前記車両走行状態検知部が検知した走行状態に対応付けられた画像パーツの回転状態を読み出し、読み出した画像パーツの回転状態に基づいて、前記第１の車両情報画像を回転させることを特徴とする請求項７に記載の車両用表示装置。
【請求項９】
前記画像表示処理部は、前記車両走行状態検知部が検知した走行状態に応じて、該走行状態に関連する走行状態関連画像を前記表示部に表示させることを特徴とする請求項７に記載の車両用表示装置。
【請求項１０】
前記画像表示処理部は、前記画像パーツ表示情報記憶部から前記車両走行状態検知部が検知した走行状態に対応付けられた表示部における配置座標を読み出し、読み出した表示部における配置座標に基づいて、前記走行状態関連画像を前記表示部に表示させることを特徴とする請求項９に記載の車両用表示装置。
【請求項１１】
前記画像生成部は、前記第１の車両情報画像を回転させるとき、該回転の動きを示す動画像の第２の車両情報画像を生成することを特徴とする請求項６に記載の車両用表示装置。
【請求項１２】
前記第１の車両情報画像が複数種類あり、
所定の該第１の車両情報画像を合成する車両情報画像合成部を備え、
前記画像生成部は、前記車両情報画像合成部が合成した合成車両情報画像を生成することを特徴とする請求項６に記載の車両用表示装置。
【請求項１３】
合成する複数の第１の車両情報画像と、該第１の車両情報画像の相対位置を決定するための重心位置とを対応付けてパーツ合成情報として記憶しているパーツ合成情報記憶部を有し、
前記車両情報画像合成部は、該パーツ合成情報記憶部に記憶されているパーツ合成情報に基づいて、前記複数の第１の車両情報画像の合成を行うことを特徴とする請求項１２に記載の車両用表示装置。
【請求項１４】
請求項１から１３のいずれか１項に記載の車両用表示装置を備えた車両。
【請求項１５】
車両に搭載され、該車両に関する情報を含む車両情報画像を表示するための表示部を備える車両用表示装置における表示方法であって、
該車両情報画像の基本画像となる第１の車両情報画像を有し、
前記第１の車両情報画像を必要に応じて所定の回転軸に対して所定角度だけ回転させた第２の車両情報画像を生成する画像生成ステップと、
前記第２の車両情報画像を表示部に表示する画像表示ステップとを含むことを特徴とする表示方法。
【発明の詳細な説明】
【技術分野】
【０００１】
本発明は、車両の速度やエンジンの回転数等の車両情報画像を表示するための車両用表示装置、該車両用表示装置を搭載した車両、および該車両用表示装置における表示方法に関するものである。
【背景技術】
【０００２】
近年、自動車のインストルメントパネル（以下、インパネと称する）には、走行状態に応じて、車両の速度やエンジンの回転数等の車両状態情報や、ナビゲーション画像等の付加的画像の表示サイズなどを変化させる車両用表示装置が提案されている（特許文献１，２参照）。
【０００３】
例えば、特許文献１では、車両の走行状態の変化に応じて表示情報及び表示面積を適宜変化させることで、車両走行に必要な種々の情報をその重要度に見合った形態で表示し、運転者その他の乗員に対して確実に報知している。
【０００４】
また、特許文献２では、画像表示装置に表示する地図画面の画面数または複数画面の画面比率を走行状態に対応して設定することが開示されている。
【特許文献１】特開平９−１２３８４８号公報（１９９７年５月１３日公開）
【特許文献２】特開２００１−１３３２７２号公報（２００１年５月１８日公開）
【発明の開示】
【発明が解決しようとする課題】
【０００５】
しかしながら、特許文献１に開示されるように、車両の走行状態の変化に応じて表示情報及び表示面積を適宜変化させるため、速度メーターなどが走行状態に応じて縮小／拡大される。例えば、ある走行状態から別の走行状態に変化すると、速度メーターが４０％に縮小される。このような場合、ユーザは、縮小前の速度メーターと縮小後の速度メーターとが別画像であると認識し、両者が同一の画像を表示しているものと即座に認識することができない可能性がある。特に、運転中では、ユーザがインパネを見る時間が短いため、この傾向が高まることが予想される。
【０００６】
本発明は、上記の問題点に鑑みてなされたものであり、その目的は、表示形状を変化させてもユーザにとって同一の情報画像であることが視認しやすい車両用表示装置、車両および表示方法を実現することにある。
【課題を解決するための手段】
【０００７】
本発明の車両用表示装置は、上記の課題を解決するために、車両に搭載され、該車両に関する情報を含む車両情報画像を表示するための表示部を備える車両用表示装置であって、該車両情報画像の基本画像となる第１の車両情報画像と、該第１の車両情報画像を３次元的に回転させた１以上の第２の車両情報画像とを有することを特徴としている。
【０００８】
また、本発明の車両用表示装置は、上記の構成に加えて、前記第２の車両情報画像の横幅は、前記第１の車両情報画像の横幅よりも短いことを特徴としている。
【０００９】
また、本発明の車両用表示装置は、上記の構成に加えて、前記第２の車両情報画像の縦幅は、前記第１の車両情報画像の縦幅よりも短いことを特徴としている。
【００１０】
また、本発明の車両用表示装置は、上記の構成に加えて、前記第２の車両情報画像の表示面積は、前記第１の車両情報画像の表示面積よりも小さいことを特徴としている。
【００１１】
また、本発明の車両用表示装置は、上記の構成に加えて、前記第１の車両情報画像と、前記第２の車両情報画像とは、車両の走行状態によって切り換えることを特徴としている。
【００１２】
ここで、３次元的に回転させるとは、車両表示装置の表示画面に平行な方向を除く方向を軸として回転させることである。
【００１３】
上記の構成によれば、車両用表示装置は、必要に応じて、基本となる第１の車両情報画像を３次元的に回転させた第２の車両情報画像を表示部に表示する。よって、上記車両用表示装置は、必要に応じて、表示部に異なる表示形状の車両情報画像を表示させることができる。これにより、表示部における車両情報画像の表示形状に合わせて、他の画像の表示面積を変更したり、他の画像を追加したりできる。
【００１４】
また、本発明の車両用表示装置は、上記の課題を解決するために、車両に搭載され、該車両に関する情報を含む車両情報画像を表示するための表示部を備える車両用表示装置であって、該車両情報画像の基本画像となる第１の車両情報画像を有し、前記第１の車両情報画像を必要に応じて所定の回転軸に対して所定角度だけ回転させた第２の車両情報画像を生成する画像生成部と、前記画像生成部が生成した第２の車両情報画像を表示部に表示する画像表示処理部とを備えることを特徴としている。
【００１５】
また、本発明の表示方法は、上記の課題を解決するために、車両に搭載され、該車両に関する情報を含む車両情報画像を表示するための表示部を備える車両用表示装置における表示方法であって、該車両情報画像の基本画像となる第１の車両情報画像を有し、前記第１の車両情報画像を必要に応じて所定の回転軸に対して所定角度だけ回転させた第２の車両情報画像を生成する画像生成ステップと、前記第２の車両情報画像を表示部に表示する画像表示ステップとを含むことを特徴としている。
【００１６】
ここで、第１の車両情報画像及び第２の車両情報画像は、ある視点位置からみたときに、近いものを大きく遠いものを小さく描いた遠近感を有する二次元の画像である。
【００１７】
上記の構成または方法によれば、車両用表示装置は、必要に応じて、基本となる第１の車両情報画像を所定の回転軸に対して所定角度だけ回転させた第２の車両情報画像を表示部に表示する。よって、上記車両用表示装置は、必要に応じて、表示部に異なる表示形状の車両情報画像を表示させることができる。これにより、表示部における車両情報画像の表示形状に合わせて、他の画像の表示面積を変更したり、他の画像を追加したりできる。
【００１８】
また、このとき、ユーザは、単に車両情報画像が回転しただけであるため（つまり、単に、視点位置が変化しただけであるため）、回転前の第１の車両情報画像と回転後の第２の車両情報画像との車両情報画像が同一の車両情報画像であることを即座に認識することができる。
【００１９】
また、車両情報画像の一部が表示部からはみ出していた場合、車両情報画像を回転させることで、表示形状が変化し、表示部からはみ出していた領域を表示部内に含めることができる。例えば、車両情報画像が速度メーターであり、一般道路を走行中には、一般道路では通常走行しない速度以上の速度領域（例えば、１００ｋｍ／ｈ以上）を表示部からはみ出させ、高速道路を走行する際には、該速度メーターを回転させて全速度領域を表示部に表示させることができる。
【００２０】
さらに、本発明の車両用表示装置は、上記の構成に加えて、車両の走行状態を検知する車両走行状態検知部を備え、前記画像生成部は、前記車両走行状態検知部が検知した走行状態に応じて、前記第１の車両情報画像を回転させることを特徴としている。
【００２１】
上記の構成によれば、画像生成部は、走行状態に応じて、自動的に車両情報画像を回転させることができる。したがって、画像生成部は、走行状態に適した表示形状となるように車両情報画像を自動的に変更することができる。
【００２２】
例えば、車両情報画像が速度メーターであり、車両走行状態検知部が走行道路（一般道路または高速道路）を検知するものとする。この場合、車両状態検知部が一般道路であることを検知すると、画像生成部は、速度メーターの高速度領域よりも低速度領域が大きく表示されるように該速度メーターを回転する。もしくは、画像生成部は、速度メーターの高速度領域を表示部からはみ出すように該速度メーターを回転させる。これにより、一般道路では必要のない高速度領域を表示する面積を小さくすることができる。また、車両状態検知部が高速道路であることを検知すると、画像生成部は、速度メーターの全速度領域を均等に表示するように該速度メーターを回転する。これにより、ユーザは、高速道路で走行する可能性のある全速度領域を視ることができる。
【００２３】
さらに、本発明の車両用表示装置は、上記の構成に加えて、前記画像表示処理部は、前記車両走行状態検知部が検知した走行状態に応じて、該走行状態に関連する走行状態関連画像を前記表示部に表示させることを特徴としている。
【００２４】
上記の構成によれば、ユーザは、車両の走行状態に関連した走行状態関連画像を表示部で確認することができる。ここで、上述したように、表示部に表示される車両情報画像は、走行状態に応じて、その形状が変化する。よって、画像表示処理部は、該車両情報画像の形状の変化に応じて、上記走行状態関連画像を表示部の適当な場所に配置させることができる。その結果、ユーザは、走行状態関連画像と、車両情報画像との両方をより確実に視認することができる。
【００２５】
さらに、本発明の車両用表示装置は、上記の構成に加えて、前記画像生成部は、前記第１の車両情報画像を回転させるとき、該回転の動きを示す動画像の第２の車両情報画像を生成することを特徴としている。
【００２６】
上記の構成によれば、ユーザは、車両情報画像が走行状態に応じて回転する様子（過程）を確認できる。これにより、ユーザは、同一の車両情報画像が継続して表示されていることをより一層確実に認識できる。
【００２７】
さらに、本発明の車両用表示装置は、上記の構成に加えて、前記第１の車両情報画像が複数種類あり、所定の該第１の車両情報画像を合成する車両情報画像合成部を備え、前記画像生成部は、前記車両情報画像合成部が合成した合成車両情報画像を生成することを特徴としている。
【００２８】
上記の構成によれば、画像生成部は、車両情報画像合成部が合成した合成後車両情報画像を生成する。よって、合成される車両情報画像の各々に対して第２の車両情報画像を生成する処理に比べ、第２の車両情報画像を生成する回数が減る。これにより、画像生成部における処理が簡略化できる。
【００２９】
本発明に係る車両は、上記課題を解決するために、上述のいずれかの車両用表示装置を備えていることを特徴としている。
【００３０】
上記の構成によれば、ユーザは、車両情報画像について、その表示形状が変化しても同一の情報画像であることが視認しやすくなる。
【発明の効果】
【００３１】
本発明の車両用表示装置は、車両情報画像の基本画像となる第１の車両情報画像と、該第１の車両情報画像を３次元的に回転させた１以上の第２の車両情報画像とを有する。
【００３２】
それゆえ、上記車両用表示装置は、走行状態に応じて、表示部に異なる表示形状の車両情報画像を表示させることができる。これにより、表示部における車両情報画像の表示形状に合わせて、他の画像の表示面積を変更したり、他の画像を追加したりできる。また、ユーザは、単に車両情報画像が回転しただけであるため、回転前と回転後との車両情報画像が同一の車両情報画像であることを即座に認識することができるという効果を奏する。
【発明を実施するための最良の形態】
【００３３】
〔実施形態１〕
本発明の一実施形態について図１ないし図１８に基づいて説明すると以下の通りである。なお、本実施形態では、本発明の車両用表示装置を、自動車のインストルメントパネル（以下、インパネと称する）の表示装置として適用した場合について説明する。
【００３４】
本実施形態にかかる車両表示システムは、図１に示すように、所定の情報を表示するための車両用表示装置１、車両用表示装置１にて表示する表示情報を出力するための表示情報センサシステム３、自動車の位置を検知するナビゲーションシステム４、および、自動車の周囲の映像を映し出すカメラシステム５を備えている。
【００３５】
表示情報センサシステム３は、自動車の速度を検知する速度センサ３１、エンジンの回転数を検知するエンジン回転数センサ３２、および車内の温度を検知する車内温度センサ３３、燃料の残量を検知する燃料残量センサ（図示せず）、エンジン冷却用の水温を検出する温度センサ（図示せず）、シフトポジションを検出するシフトポジション検出センサ（図示せず）などを備えている。
【００３６】
ナビゲーションシステム４は、自動車の位置を検知し、目的地あるいは次のパーキングエリアまでの距離や、走行経路を出力するものであり、一般的なシステムが用いられる。ナビゲーションシステム４は、自動車の現在位置情報や、走行経路に関する走行経路情報を車両用表示装置１に出力する。
【００３７】
カメラシステム５は、自動車の外回りの任意の位置（例えば自動車の右前方、右側方、右後方、左前方、左側方、左後方）に配設され、周囲の情報を撮像することが可能なカメラから構成されている。カメラシステム５は、配設されたカメラのいずれが起動しているかを示すカメラ起動情報や、カメラが撮像する撮像画像を車両用表示装置１に出力する。
【００３８】
車両用表示装置１は、自動車のインパネに装着され、例えば速度やエンジン回転数、自動車の現在位置情報、ナビゲーション画像、カメラ画像などを表示する。車両用表示装置１は、表示する画像に関する情報を、表示情報センサシステム３、ナビゲーションシステム４、カメラシステム５より取得する。
【００３９】
車両用表示装置１は、図１に示されるように、表示制御部１１と、画像パーツデータベース１２と、表示部１３と、装置起動検知部１４と、ＥＴＣ情報検知部２１および発進検知部２２を含む自動車状態センサシステム２とを備えている。
【００４０】
ＥＴＣ情報検知部２１は、ＥＴＣ（Electronic Toll Collection:自動料金収受システム）運用のために有料高速道路の料金所で発信される無線信号を基にして、自動車が一般道路から有料高速道路に入ったこと、または、自動車が有料高速道路から一般道路に出たことを検知し、その旨を出力するものである。ＥＴＣ情報検知部２１は、検知結果に応じて、自動車の通行道路が有料高速道路であるか一般道路であるかを示すＥＴＣ情報（車両走行状態情報）を、表示制御部１１に出力する。
【００４１】
発進検知部２２は、自動車が発進したことを検知するものである。発進検知部２２は、発進したことを検知すると、その旨を示す発進検知情報（車両走行状態情報）を表示制御部１１に出力する。発進検知部２３が発進を検知する方法は、例えば、自動車のアクセルがユーザにより踏まれたことを検知したり、車軸が回転を開始したことを検知することにより行われる。
【００４２】
装置起動検知部１４は、自動車のエンジンが起動されたことを検知するものである。装置起動検知部１４は、エンジンが起動されたことを検知すると、その旨を示す装置起動情報（車両走行状態情報）を表示制御部１１に出力する。
【００４３】
画像パーツデータベース１２は、表示部１３に表示する複数の画像パーツの基となる３次元画像データを記憶するものである。なお、各画像パーツに対応する３次元画像データは、事前に作成されている。画像パーツとは、例えば、自動車の速度を表示するための速度メーター、エンジンの回転数を表示するための回転数メーター、車内温度を表示するための車内温度表示画像などである。
【００４４】
図２は、画像パーツデータベース１２が記憶する画像パーツの一例（画像パーツＰ）の外形を示したものである。図２に示されるように、画像パーツＰは、例えばＸ，Ｙ，Ｚの３次元座標により表される３次元画像であり、その重心が原点に位置する。
【００４５】
表示部１３は、液晶表示パネルからなり、そのサイズは、例えば、表示領域の縦横のサイズ比を示すアスペクト比が例えば７：３の横長に設計されている。
【００４６】
表示制御部１１は、図１に示されるように、画像パーツ読み出し部１１１、画像パーツ一時メモリ１１２、画像処理部１１３、画像表示処理部１１４、および、画像パーツ表示情報記憶部１１５を備えている。
【００４７】
画像パーツ表示情報記憶部１１５は、表示部１３に表示する画像パーツの種類と、各画像パーツの回転状態、各画像パーツの表示部１３における配置座標と、上記自動車状態とを対応付けて記憶するものである。
【００４８】
ここで、回転状態とは、画像パーツを図２に示すように３次元座標系に表したときに、画像パーツの回転状態を示すものである。例えば、回転させない基本の状態（基本状態）や、該基本状態からＹ軸を回転軸として角度４５°（ここでは、Ｙ軸に対して右回り方向をプラスとして記載している）だけ回転させた状態などである。
【００４９】
また、配置座標とは、画像パーツが表示部１３に表示されるときの座標を表すものである。表示部１３は、例えば図３に示されるように、Ｐ，Ｑの２軸座標により内部の点が特定できる。ここで、図２に示した画像パーツＰの視点位置Ａからみた重心が、表示部１３の座標（ｐ，ｑ）に配置される場合、配置座標は、該（ｐ，ｑ）となる。なお、図中の点ａ０，ａ１，ｂ，ｃ０，ｃ１，ｃ２，ｄ０，ｄ１，ｄ２，ｅ，ｆは、それぞれ配置座標により特定される点の具体例である。
【００５０】
画像パーツ読み出し部１１１は、画像パーツ表示情報記憶部１１５を参照して、ＥＴＣ情報検知部２１、発進検知部２２または装置起動検知部１４が出力する車両走行状態情報に対応する画像パーツを決定し、決定した画像パーツに対応する３次元画像データを画像パーツデータベース１２から読み出す。そして、画像パーツ読み出し部１１１は、読み出した３次元画像データを画像パーツ一時メモリ１１２に格納する。
【００５１】
画像処理部１１３は、画像パーツ一時メモリ１１２に格納された３次元画像データを基に、ある固定の視点位置（ここでは、図２に示す視点位置Ａとする）からみたときの画像パーツの車両情報画像を生成するものである。ここで、車両情報画像は、近くが大きく、遠くが小さくみえるように表現された画像である。画像処理部１１３は、画像パーツ表示情報記憶部１１５を参照して、車両走行状態情報および画像パーツ一時メモリ１１２から読み出した画像パーツに対応する回転状態を決定する。そして、画像処理部１１３は、画像パーツ一時メモリ１１２から読み出した画像パーツを決定した回転状態とし、視点位置Ａからみたときの車両情報画像を生成する。
【００５２】
例えば、画像パーツ表示情報記憶部１１５が図２に示されるような画像パーツＰと、回転状態「基本状態」とを対応づけて記憶していた場合を考える。この場合、画像処理部１１３は、画像パーツＰを回転させずに、図４（ａ）のような基本車両情報画像（第１の車両情報画像）を生成する。また、画像パーツ表示情報記憶部１１５が図２に示されるような画像パーツＰと、回転状態「回転軸：Ｙ軸、回転角度４５°」とを対応づけて記憶していた場合、画像処理部１１３は、Ｙ軸を回転軸として４５°だけ画像パーツＰを右回りに回転させ、図４（ｂ）のような回転車両情報画像（第２の車両情報画像）を生成する。
【００５３】
画像表示処理部１１４は、画像処理部１１３から出力された各画像パーツの車両情報画像を表示部１３に表示させる。このとき、画像表示処理部１１３は、画像パーツ表示情報記憶部１１５を参照して、表示部１３における各画像パーツの配置座標を決定する。
【００５４】
また、画像表示処理部１１４は、各画像パーツに対応する表示情報を表示情報センサシステム３から取得し、取得した表示情報を画像パーツに付加して表示する。例えば、画像パーツが速度メーターである場合、画像表示処理部１１４は、速度センサ３１から現在の速度情報を取得し、取得した速度情報を速度メーターに付加して、表示部１３に表示させる。
【００５５】
＜実施例１＞
次に本実施形態の具体的な一実施例について説明する。本実施例１の画像パーツデータベース１２は、画像パーツとして、速度メーターとエンジン回転数メーターとが組み合わさった速度・回転数メーターＰ３と、自動車の速度を数字で表示する速度数値表示画像Ｐ４とを記憶している。
【００５６】
また、画像パーツ表示情報記憶部１１５は、図５に示されるようなテーブルを記憶している。すなわち、画像パーツ表示情報記憶部１１５は、通行道路「一般道路」および装置起動時の自動車状態と、回転状態「基本状態」・配置座標ａ０の速度・回転速度メーターＰ３および回転状態「基本状態」・配置座標ｂの速度数値表示画像Ｐ４とを対応づけて記憶している。さらに、画像パーツ表示情報記憶部１１５は、通行道路「有料高速道路」の自動車状態と、回転状態「回転軸：Ｙ軸、回転角度：４５°」・配置座標ａ１の速度・回転速度メーターＰ３および回転状態「基本状態」・配置座標ｂの速度数値表示画像Ｐ４とを対応づけて記憶している。
【００５７】
図２〜８を参照しながら、本実施例の処理フローを説明する。
図６は、本実施例に係る車両用表示装置１の処理の手順を示すフローチャートである。
【００５８】
まず、ステップ（以下、単にＳと称する）１において、装置起動検知部１４は、エンジンが起動されたことを検知して、その旨を示す装置起動情報を表示制御部１１に出力する。
【００５９】
装置起動検知部１４から装置起動情報を受けた画像パーツ読み出し部１１１は、画像パーツ表示情報記憶部１１５を基に、自動車状態「装置起動時」に対応する画像パーツを、画像パーツデータベース１２から読み出す画像パーツとして決定する。そして、画像パーツ読み出し部１１１は、決定した画像パーツの３次元画像データを画像パーツデータベース１２から読み出す。ここでは、画像パーツ読み出し部１１１は、図５に示すテーブルに従って、速度・回転数メーターＰ３・速度数値表示画像Ｐ４を画像パーツデータベース１２から読み出し、読み出した画像パーツを画像パーツ一時メモリ１１２に格納する（Ｓ２）。なお、以下では、速度・回転数メーターＰ３をメーターパーツと呼ぶ場合もある。
【００６０】
次に、画像処理部１１３は、画像パーツ一時メモリ１１２から画像パーツを読み出す。そして、画像処理部１１３は、画像パーツ表示情報記憶部１１５を参照して、自動車状態「装置起動時」および読み出した画像パーツに対応する回転状態を決定する。ここでは、画像処理部１１３は、速度・回転数メーターＰ３・速度数値表示画像Ｐ４の両方に対して、回転状態「基本状態」を決定する。そして、画像処理部１１３は、読み出した画像パーツに対して回転処理を行わずに、視点位置Ａ（図２参照）からみた基本車両情報画像を生成し、生成した基本車両情報画像を画像表示処理部１１４に出力する。その後、画像表示処理部１１４は、表示情報センサシステム３からの表示情報を付加した各車両情報画像を表示部１３に表示させる（Ｓ３）。
【００６１】
このとき、画像表示処理部１１４は、画像パーツ表示情報記憶部１１５を参照して、自動車状態「装置起動時」および受けた画像パーツに対応する配置座標を決定する。ここでは、画像表示処理部１１４は、速度・回転数メーターＰ３について配置座標ａ０（図３参照）を、速度数値表示画像Ｐ４について配置座標ｂ（図３参照）を決定する。なお、以下では、画像処理部１１３が回転状態「基本状態」で生成した基本車両情報画像を表示部１３に表示することを「通常表示」と呼ぶ。
【００６２】
図７は、Ｓ３の処理後における表示部１３の表示例を示す。図７に示されるように、表示部１３は、配置座標ａ０（図３参照）の位置に回転させていない基本状態の速度・回転数メーターＰ３を、配置座標ｂ（図３参照）の位置に回転させていない基本状態の速度数値表示画像Ｐ４を表示している。
【００６３】
なお、回転させていない基本状態の速度・回転数メーターＰ３は、その縦幅が大きく、図７に示されるように下方の一部（例えば、１００ｋｍ／ｈ以上の高速度領域に相当する）が表示されていない。しかしながら、装置起動時は通常一般道路を通行するため、高速度領域を表示する必要がない。そのため、速度・回転数メーターＰ３の一部（高速度領域）が表示されていなくても問題がない。逆に、表示部１３において低速度領域がより大きく表示されることから、低速度領域を主に使用する一般道路において、ユーザは、速度の変化を確認しやすくなる。
【００６４】
次に、ユーザが有料高速道路に入ると、表示制御部１１は、ＥＴＣ情報検知部２１から通行道路が有料高速道路であることを示す車両走行状態情報（ＥＴＣ情報）を取得する（Ｓ４）。
【００６５】
有料高速道路であることを示すＥＴＣ情報を取得した表示制御部１１において、画像パーツ読み出し部１１１は、画像パーツ表示情報記憶部１１５を参照して、表示する画像パーツとして、自動車状態「有料高速道路」に対応する画像パーツ（ここでは、速度・回転数メーターＰ３・速度数値表示画像Ｐ４）を決定する。ただし、決定した該画像パーツは、上記Ｓ２で画像パーツデータベース１２から読み出した画像パーツと同じであるため、画像パーツ読み出し部１１１は読み出し処理を行わない。
【００６６】
次に、Ｓ５において、画像処理部１１３は、画像パーツ表示情報記憶部１１５を参照して、自動車状態「有料高速道路」および速度・回転数メーターＰ３に対応する回転状態（ここでは、「回転軸：Ｙ軸、回転角度：４５°」）を決定する。そして、画像処理部１１３は、決定した回転状態になるように、速度・回転数メーターＰ３を回転させ（図２における点線にあたる）、視点位置Ａからみた回転車両情報画像を生成する。その後、画像表示処理部１１４は、画像処理部１１３が生成した回転車両情報画像を、表示部１３の配置座標ａ１に表示する。
【００６７】
図８は、Ｓ５の処理後における表示部１３の表示例を示す。図８に示されるように、表示部１３は、配置座標ａ１（図３参照）の位置に上記回転状態「回転軸：Ｙ軸、回転角度：４５°」となるように回転された速度・回転数メーターＰ３の回転車両情報画像を表示している。すなわち、ユーザは、図４で示したように、Ｓ３の処理後の速度・回転数メーターＰ３と、Ｓ５の処理後の速度・回転数メーターＰ３とが単に回転しただけで、同一の画像パーツであることを即座に認識することができる。
【００６８】
また、図８に示される速度・回転数メーターＰ３は、回転状態「回転軸：Ｙ軸、回転角度：４５°」になるように回転されたあとの回転車両情報画像であるため、その縦幅が回転前（基本状態）における基本車両情報画像と比較して小さくなる。これにより、高速道路を通行中において、車両用表示装置１は、速度・回転数メーターＰ３の高速度領域を表示部１３に表示させることができる。さらに、画像表示処理部１１４は、速度・回転数メーターＰ３の車両情報画像の縦幅が小さくなったことを利用して、速度・回転数メーターＰ３の配置座標を表示部１３の上方に上げている。これにより、画像表示処理部１１４は、図７では表示されていなかった高速度領域をより確実に表示部１３に表示させることができる。
【００６９】
なお、画像処理部１１３は、速度・回転数メーターＰ３を基本状態から回転状態「回転軸：Ｙ軸、回転角度：４５°」まで連続的に回転させた一連の回転車両情報画像を生成することが好ましい。これにより、画像表示処理部１１４は、速度・回転数メーターＰ３が回転している様子を表示させることができる。その結果、ユーザは、同一の画像パーツである速度・回転数メーターＰ３が表示部１３に継続して表示されていることをより一層確実に認識できる。
【００７０】
また、同様に、画像表示処理部１１４は、速度・回転数メーターＰ３の配置座標について、配置座標ａ０から配置座標ａ１に連続的に変化させて表示することが好ましい。その結果、ユーザは、同一の画像パーツである速度・回転数メーターＰ３が表示部１３に継続して表示されていることを一層確実に認識できる。
【００７１】
次に、ユーザが有料高速道路から一般道路に出ると、表示制御部１１は、ＥＴＣ情報検知部２１から、通行道路が一般道路であることを示すＥＴＣ情報を取得する（Ｓ６）。
【００７２】
一般道路であることを示すＥＴＣ情報を取得した表示制御部１１において、画像処理部１１３は、画像パーツ表示情報記憶部１１５を参照して（図５参照）、自動車状態「一般道路」および速度・回転数メーターＰ３に対応する回転状態として「基本状態」を決定する。これにより、画像処理部１１３は、回転させていた速度・回転数メーターＰ３を基本状態に戻し、視点位置Ａから見た該速度・回転数メーターＰ３の基本車両情報画像を生成する。その後、画像表示処理部１１４は、速度・回転数メーターＰ３を表示部１３の配置座標ａ０に表示する。これにより、表示部１３は、図７に示されるようなメーターパーツの通常表示を行う（Ｓ７）。
【００７３】
なお、このとき、画像処理部１１３は、速度・回転数メーターＰ３を回転状態「回転軸：Ｙ軸、回転角度：４５°」から「基本状態」まで連続的に回転させた一連の回転車両情報画像を生成することが好ましい。これにより、画像表示処理部１１４は、速度・回転数メーターＰ３を連続的に回転しているように表示させることができる。すなわち、ユーザは、速度・回転数メーターＰ３が回転して通常表示に戻る過程を表示部１３に見ることができる。その結果、ユーザは、同一の画像パーツである速度・回転数メーターＰ３が表示部１３に継続して表示されていることを一層確実に認識できる。
【００７４】
その後、車両用表示装置１は、ユーザからの指示により電源の供給が停止され、処理を終了する。
【００７５】
＜実施例２＞
次に本実施形態の他の実施例について説明する。本実施例２の画像パーツデータベース１２は、画像パーツとして、速度メーターＰ５と、エンジン回転数メーターＰ６と、パーキングエリア走行距離表示画像Ｐ７とを記憶している。
【００７６】
また、画像パーツ表示情報記憶部１１５は、図９に示されるようなテーブルを記憶している。すなわち、画像パーツ表示情報記憶部１１５は、通行道路「一般道路」および装置起動時と、通行道路「有料高速道路」との各々の自動車状態に対応づけて、表示すべき画像パーツおよび該画像パーツの回転状態・配置座標を記憶している。
【００７７】
図２・３および図９〜１３を参照しながら、本実施例の処理フローを説明する。
図１０は、本実施例に係る車両用表示装置１の処理の手順を示すフローチャートである。
【００７８】
まず、Ｓ１１において、装置起動検知部１４は、エンジンが起動されたことを示す装置起動情報を表示制御部１１に出力する。
【００７９】
次に、画像パーツ読み出し部１１１は、画像パーツ表示情報記憶部１１５を参照して、自動車状態「装置起動時」に対応する画像パーツ（ここでは、速度メーターＰ５およびエンジン回転数メーターＰ６、なお、以下では、該速度メーターＰ５およびエンジン回転数メーターＰ６をメーターパーツと呼ぶ場合もある）を決定する。そして、画像パーツ読み出し部１１１は、決定した画像パーツを画像パーツデータベース１２から読み出し、読み出した画像パーツを画像パーツ一時メモリ１１２に格納する（Ｓ１２）。
【００８０】
次に、画像処理部１１３は、画像パーツ一時メモリ１１２から画像パーツを読み出し、画像パーツ表示情報記憶部１１５を参照して、自動車状態「装置起動時」および読み出した画像パーツに対応する回転状態を決定する。ここでは、画像処理部１１３は、速度メーターＰ５およびエンジン回転数メーターＰ６の両方に対して、「基本状態」を決定する。そして、画像処理部１１３は、読み出した画像パーツを回転させることなく、視点位置Ａ（図２参照）からみた基本車両情報画像を生成する。
【００８１】
その後、画像表示処理部１１４は、表示情報センサシステム３からの表示情報（ここでは、速度センサ３１からの速度情報、エンジン回転数センサ３２からのエンジン回転数情報）を付加した基本車両情報画像を表示部１３に通常表示させる（Ｓ１３）。
【００８２】
このとき、画像表示処理部１１４は、画像パーツ表示情報記憶部１１５を参照して、自動車状態「装置起動時」および各画像パーツに対応する配置座標（ここでは、速度メーターＰ５について配置座標ｄ０（図３参照）、エンジン回転数メーターＰ６について配置座標ｃ０（図３参照））を決定する。
【００８３】
図１１は、Ｓ１３の処理後における表示部１３の表示例を示す。図１１に示されるように、表示部１３は、配置座標ｄ０（図３参照）の位置に視点位置Ａから見た基本状態の速度メーターＰ５を、配置座標ｃ０（図３参照）の位置に視点位置Ａから見た基本状態のエンジン回転数メーターＰ６を表示している。
【００８４】
次に、ユーザが有料高速道路に入ると、表示制御部１１は、ＥＴＣ情報検知部２１から通行道路が有料高速道路であることを示すＥＴＣ情報を取得する（Ｓ１４）。
【００８５】
その後、有料高速道路であることを示すＥＴＣ情報を取得した表示制御部１１において、画像処理部１１３は、画像パーツ表示情報記憶部１１５を参照して、自動車状態「有料高速道路」および速度メーターＰ５に対応する回転状態として「回転軸：Ｙ軸、回転角度：４５°」を決定する。同様に、画像処理部１１３は、エンジン回転数メーターＰ６の回転状態を「回転軸：Ｙ軸、回転角度：４５°」と決定する。
【００８６】
そして、画像処理部１１３は、速度メーターＰ５およびエンジン回転数メーターＰ６を、Ｙ軸を回転軸として４５°だけ回転させ、視点位置Ａからみた回転車両情報画像を生成する（Ｓ１５）。その後、画像表示処理部１１４は、該回転車両情報画像を表示部１３に表示する。これにより、ユーザは、速度メーターＰ５及びエンジン回転数メーターＰ６が回転したように視認する。
【００８７】
このとき、画像表示処理部１１４は、画像パーツ表示情報記憶部１１５を参照して、自動車状態「有料高速道路」および各画像パーツに対応する配置座標（ここでは、速度メーターＰ５について配置座標ｄ１（図３参照）、エンジン回転数メーターＰ６について配置座標ｃ１（図３参照））を決定する。
【００８８】
次に、画像処理部１１３における回転処理が終了すると、画像パーツ読み出し部１１１は、画像パーツ表示情報記憶部１１５を参照して、自動車状態「有料高速道路」に対応する画像パーツ（ここでは、速度メーターＰ５、エンジン回転数メーターＰ６、パーキングエリア走行距離表示画像Ｐ７）を表示すべき画像パーツであると判断する。
【００８９】
このとき、画像パーツ読み出し部１１１は、画像パーツ一時メモリ１１２を参照して、既に速度メーターＰ５およびエンジン回転数メーターＰ６を読み出していることを認識し、パーキングエリア走行距離表示画像Ｐ７のみが追加すべき画像パーツであると判断する。そして、画像パーツ読み出し部１１１は、追加すべき画像パーツであるパーキングエリア走行距離表示画像Ｐ７の３次元画像データを画像パーツデータベース１２から読み出し、読み出した３次元画像データを画像パーツ一時メモリ１１２に格納する。
【００９０】
画像パーツ一時メモリ１１２にパーキングエリア走行距離表示画像Ｐ７が格納されると、画像処理部１１３は、画像パーツ表示情報記憶部１１５（図９のテーブルを参照）を基に、自動車状態「有料高速道路」および該パーキングエリア走行距離表示画像Ｐ７に対応する回転状態（ここでは、「基本状態」）を決定する。そして、画像処理部１１３は、決定した回転状態「基本状態」を基に、パーキングエリア走行距離表示画像Ｐ７を回転させることなく、視点位置Ａからみたパーキングエリア走行距離表示画像Ｐ７の車両情報画像を生成する。
【００９１】
その後、画像表示処理部１１４は、画像パーツ表示情報記憶部１１５を基に、自動車状態「有料高速道路」および該パーキングエリア走行距離表示画像Ｐ７に対応する配置座標（ここでは、配置座標ｅ（図３参照））を決定する。そして、画像表示処理部１１４は、ナビゲーションシステム４から現在位置情報とパーキングエリアまでの距離に関する情報を取得して、表示部１３に追加画像パーツであるパーキングエリア走行距離表示画像Ｐ７を表示させる（Ｓ１６）。
【００９２】
図１２は、Ｓ１６の処理後における表示部１３の表示例を示す。図１２に示されるように、表示制御部１１は、速度メーターＰ５およびエンジン回転数メーターＰ６を回転させることで、速度メーターＰ５およびエンジン回転数メーターＰ６の車両情報画像の縦幅を狭くし、追加画像を表示させるためのスペースを広げている。
【００９３】
さらに、画像表示処理部１１４は、速度メーターＰ５およびエンジン回転数メーターＰ６の配置座標を配置座標ｃ０・ｄ０からｃ１・ｄ１（図３参照）とすることで、速度メーターＰ５およびエンジン回転数メーターＰ６の下方のスペースをより一層広げている。
【００９４】
これにより、画像表示処理部１１４は、追加画像であるパーキングエリア走行距離表示画像Ｐ７を表示部１３に表示させることができる。その結果、ユーザは、有料高速道路を通行中に知りたいパーキングエリア走行距離情報を表示部１３で確認することができる。
【００９５】
次に、ユーザが有料高速道路から一般道路に出ると、表示制御部１１は、ＥＴＣ情報検知部２１から通行道路が一般道路であることを示すＥＴＣ情報を取得する（Ｓ１７）。
【００９６】
一般道路であることを示すＥＴＣ情報を取得した表示制御部１１において、画像パーツ読み出し部１１１および画像表示処理部１１４は、画像パーツ表示情報記憶部１１５を参照して、自動車状態「一般道路」に対応する画像パーツにパーキングエリア走行距離表示画像Ｐ７が含まれないことを認識する。そして、画像パーツ読み出し部１１１は、該パーキングエリア走行距離表示画像Ｐ７に対応する３次元画像データを画像パーツ一時メモリ１１２から削除するとともに、画像表示処理部１１４は、該パーキングエリア走行距離表示画像Ｐ７を表示部１３に表示させない（Ｓ１８）。
【００９７】
その後、画像処理部１１３は、画像パーツ表示情報記憶部１１５を参照して、自動車状態「一般道路」および速度メーターＰ５に対応する回転状態として「基本状態」を決定する。同様に、画像処理部１１３は、画像パーツ表示情報記憶部１１５を参照して、自動車状態「一般道路」およびエンジン回転数メーターＰ６に対応する回転状態として「基本状態」を決定する。そして、画像処理部１１３は、視点位置Ａから見た基本状態の速度メーターＰ５・エンジン回転数メーターＰ６の基本車両情報画像を生成する。その後、画像表示処理部１１４は、回転させていない基本状態の速度メーターＰ５・エンジン回転数メーターＰ６の車両情報画像を表示部１３に表示する。これにより、表示部１３は、図１１に示されるようなメーターパーツの通常表示を行う（Ｓ１９）。
【００９８】
その後、車両用表示装置１は、ユーザからの指示により電源の供給が停止され、処理を終了する。
【００９９】
以上のように、画像処理部１１３は、ＥＴＣ情報に応じて、速度メーターＰ５およびエンジン回転数メーターＰ６を回転させて車両情報画像を生成する。図１３は、速度メーターＰ５およびエンジン回転数メーターＰ６の車両情報画像の簡略図である。図１３では、車両情報画像における遠近を明瞭に表すために、速度メーターＰ５およびエンジン回転数メーターＰ６を四角形として示している。図１３（ａ）は基本状態（回転させていない状態）の速度メーターＰ５およびエンジン回転数メーターＰ６の基本車両情報画像であり、図１３（ｂ）はＹ軸を回転軸として４５°だけ回転させた速度メーターＰ５およびエンジン回転数メーターＰ６の回転車両情報画像である。
【０１００】
図１３に示されるように、回転させたあとの回転車両情報画像の縦幅は、基本状態の基本車両情報画像の縦幅に比べて小さい。これにより、表示部１３において、速度メーターＰ５およびエンジン回転数メーターＰ６を除くスペースが広くなる。その結果、パーキングエリア走行距離表示画像Ｐ７のような追加画像を表示させることができる。
【０１０１】
＜実施例３＞
さらに、本実施形態の他の実施例について説明する。本実施例３の画像パーツデータベース１２は、画像パーツとして、速度メーターＰ５と、エンジン回転数メーターＰ６と、車内温度表示画像Ｐ８とを記憶している。
【０１０２】
また、画像パーツ表示情報記憶部１１５は、図１４に示されるようなテーブルを記憶している。すなわち、画像パーツ表示情報記憶部１１５は、「装置起動時」と「発進後」との各々の自動車状態に対応づけて、表示すべき画像パーツおよび該画像パーツの回転状態・配置座標を記憶している。
【０１０３】
図２・３および図１４〜１８を参照しながら、本実施例の処理フローを説明する。
図１５は、本実施例に係る車両用表示装置１の処理の手順を示すフローチャートである。
【０１０４】
まず、Ｓ２１において、装置起動検知部１４は、エンジンが起動されたことを示す装置起動情報を表示制御部１１に出力する。
【０１０５】
次に、画像パーツ読み出し部１１１は、画像パーツ表示情報記憶部１１５を参照して、自動車状態「装置起動時」に対応する画像パーツ（ここでは、速度メーターＰ５、エンジン回転数メーターＰ６および車内温度表示画像Ｐ８）を決定する。そして、画像パーツ読み出し部１１１は、決定した画像パーツを画像パーツデータベース１２から読み出し、読み出した画像パーツを画像パーツ一時メモリ１１２に格納する（Ｓ２２）。
【０１０６】
次に、画像処理部１１３は、画像パーツ一時メモリ１１２から画像パーツを読み出し、画像パーツ表示情報記憶部１１５を参照して、自動車状態「装置起動時」および読み出した画像パーツに対応する回転状態を決定する。ここでは、画像処理部１１３は、速度メーターＰ５に対して「回転軸：Ｚ軸、回転角度：−４５°」を、エンジン回転数メーターＰ６に対して「回転軸：Ｚ軸、回転角度：４５°」を、車内温度表示画像Ｐ８に対して「基本状態」を決定する。
【０１０７】
なお、回転角度は、回転軸に対して右回り方向の角度をプラスとし、左回り方向の角度をマイナスとして表されている（図２参照）。すなわち、「回転軸：Ｚ軸、回転角度：−４５°」は、Ｚ軸を回転軸として左回りに４５°だけ回転させることを意味しており、「回転軸：Ｚ軸、回転角度：４５°」は、Ｚ軸を回転軸として右回りに４５°だけ回転させることを意味しており、
まず、画像処理部１１３は、回転状態が「基本状態」以外の画像パーツ（ここでは、速度メーターＰ５およびエンジン回転数メーターＰ６）に対する車両情報画像の生成処理を先に行う。
【０１０８】
画像処理部１１３は、回転軸をＺ軸として左回りに４５°だけ速度メーターＰ５を回転させたのち、視点位置Ａから見た回転車両情報画像を生成する。また、画像処理部１１３は、回転軸をＺ軸として右回りに４５°だけエンジン回転数メーターＰ６を回転させたのち、視点位置Ａから見た回転車両情報画像を生成する（Ｓ２３）。
【０１０９】
具体的には、図１３と同様に速度メーターＰ５およびエンジン回転数メーターＰ６を簡略的に四角形の板状であるとすると、回転軸をＺ軸として左回りに４５°だけ回転させた速度メーターＰ５の回転車両情報画像は、図１８（ｃ）のようになる。また、回転軸をＺ軸として右回りに４５°だけ回転させたエンジン回転数メーターＰ６の回転車両情報画像は、図１８（ｂ）のようになる。なお、図１８（ａ）は、回転させてない基本状態の速度メーターＰ５，エンジン回転数メーターＰ６の基本車両情報画像である。
【０１１０】
そして、画像処理部１１３は、回転軸をＺ軸として左回りに４５°だけ回転させた速度メーターＰ５の回転車両情報画像と、回転軸をＺ軸として右回りに４５°だけ回転させたエンジン回転数メーターＰ６の回転車両情報画像とを画像表示処理部１１４に出力する。画像表示処理部１１４は、表示情報センサシステム３からの表示情報（ここでは、速度センサ３１からの速度情報と、エンジン回転数センサ３２からのエンジン回転数情報）を付加した速度メーターＰ５およびエンジン回転数メーターＰ６の回転車両情報画像を表示部１３に表示させる（Ｓ２４）。
【０１１１】
このとき、画像表示処理部１１４は、画像パーツ表示情報記憶部１１５を参照して、自動車状態「装置起動時」および各画像パーツに対応する配置座標（ここでは、速度メーターＰ５について配置座標ｄ２（図３参照）、エンジン回転数メーターＰ６について配置座標ｃ２（図３参照））を決定する。
【０１１２】
次に、画像処理部１１３は、回転させない基本状態の車内温度表示画像Ｐ８の基本車両情報画像を生成し、生成した車内温度表示画像Ｐ８の基本車両情報画像を画像表示処理部１１４に出力する。画像表示処理部１１４は、車内温度表示画像Ｐ８の基本車両情報画像を受けると、車内温度センサ３３から車内温度情報（ここでは、前部座席が２１．０℃、後部座席が２３．０℃）を取得する（Ｓ２５）。
【０１１３】
次に、画像表示処理部１１４は、車内温度情報を付加した車内温度表示画像Ｐ８の基本車両情報画像を表示部１３に表示させる（Ｓ２６）。
【０１１４】
このとき、画像表示処理部１１４は、画像パーツ表示情報記憶部１１５を参照して、自動車状態「装置起動時」および車内温度表示画像Ｐ８に対応する配置座標（ここでは、配置座標ｆ（図３参照））を決定する。
【０１１５】
図１６は、Ｓ２６の処理後における表示部１３の表示例を示す。図１６に示されるように、表示部１３は、配置座標ｄ２（図３参照）の位置に回転軸をＺ軸として左回りに４５°だけ回転させた速度メーターＰ５を、配置座標ｃ２（図３参照）の位置に回転軸をＺ軸として右回りに４５°だけ回転させたエンジン回転数メーターＰ６を表示している。このとき、速度メーターＰ５およびエンジン回転数メーターＰ６は、上述したように縦軸のＺ軸に対して回転させた状態となっているため、その横幅が短くなっている。よって、図１６に示されるように、速度メーターＰ５およびエンジン回転数メーターＰ６の左右にスペースが生じるため、画像表示処理部１１４は、車内温度表示画像Ｐ８をエンジン回転数メーターＰ６の横に追加表示させることができる。
【０１１６】
次に、表示制御部１１は、発進検知部２２からの発進検知情報を受けたか否かを判断する（Ｓ２７）。
【０１１７】
発進検知部２２からの発進検知情報がない場合（Ｓ２７でＮＯ）、表示制御部１１は、Ｓ２４およびＳ２６で表示している速度メーターＰ５、エンジン回転数メーターＰ６および車内温度表示画像Ｐ８を継続して表示させる（Ｓ２８）。
【０１１８】
一方、発進検知部２２からの発進検知情報を受けた場合（Ｓ２７でＹＥＳ）、画像パーツ読み出し部１１１および画像表示処理部１１４は、画像パーツ表示情報記憶部１１５を参照して、自動車状態「発進後」に対応する画像パーツに車内温度表示画像Ｐ８が含まれないことを認識する。そして、画像パーツ読み出し部１１１は、該車内温度表示画像Ｐ８に対応する３次元画像データを画像パーツ一時メモリ１１２から削除するとともに、画像表示処理部１１４は、該車内温度表示画像Ｐ８の車両情報画像を表示部１３に表示させない（Ｓ２９）。
【０１１９】
その後、画像処理部１１３は、画像パーツ表示情報記憶部１１５を参照して、自動車状態「発進後」および速度メーターＰ５に対応する回転状態として「基本状態」を決定する。同様に、画像処理部１１３は、画像パーツ表示情報記憶部１１５を参照して、自動車状態「発進後」およびエンジン回転数メーターＰ６に対応する回転状態として「基本状態」を決定する。
【０１２０】
そして、画像処理部１１３は、基本状態に戻した速度メーターＰ５・エンジン回転数メーターＰ６の基本車両情報画像を生成する。その後、画像表示処理部１１４は、視点位置Ａから見た速度メーターＰ５・エンジン回転数メーターＰ６の基本車両情報画像を表示部１３に表示する。このとき、画像表示処理部１１４は、画像パーツ表示情報記憶部１１５を参照して、自動車状態「発進後」および各画像パーツに対応する配置座標（ここでは、速度メーターＰ５について配置座標ｄ０（図３参照）、エンジン回転数メーターＰ６について配置座標ｃ０（図３参照））を決定する。
【０１２１】
これにより、表示部１３は、図１７に示されるようなメーターパーツの通常表示を行う（Ｓ３０）。
【０１２２】
その後、車両用表示装置１は、ユーザからの指示により電源の供給が停止され、処理を終了する。
【０１２３】
以上のように、画像処理部１１３は、装置起動時から発進するまでの間、速度メーターＰ５およびエンジン回転数メーターＰ６を、縦軸であるＺ軸を回転軸として回転させ、横幅の短い車両情報画像を生成する（図１８参照）。これにより、表示部１３において速度メーターＰ５およびエンジン回転数メーターＰ６の左右のスペースが広くなり、その結果、画像表示処理部１１４は、車内温度表示画像Ｐ８のような車内情報を示す画像を表示させることができる。
【０１２４】
そして、発進検知部２２からの発進検知情報を受けて、画像表示処理部１１４は、車内情報を示す車内温度表示画像Ｐ８を非表示とし、画像処理部１１３は、速度メーターＰ５およびエンジン回転数メーターＰ６を基本状態に戻して基本車両情報画像を生成する。これにより、発進後において、ユーザは、速度メーターＰ５およびエンジン回転数メーターＰ６を正面からみた基本車両情報画像をみるため、該メーターパーツを一層確認しやすくなる。
【０１２５】
〔実施形態２〕
上記実施形態では、各画像パーツに対して回転状態を決定する構成であった。この場合、各画像パーツに対してそれぞれ車両情報画像の生成処理をする必要がある。そのため、画像処理部１１３における処理時間が長くなるおそれがある。本実施形態は、画像処理部１１３における処理時間を短縮できる構成である。
【０１２６】
本実施形態について、図１９〜図２６に基づいて説明すれば、以下のとおりである。なお、説明の便宜上、前記実施形態１にて説明した図面と同じ機能を有する部材については、同じ符号を付記し、その説明を省略する。
【０１２７】
図１９は、本実施形態の車両表示システムの構成を示すブロック図である。図１９に示されるように、本実施形態の車両表示システムは、上記実施形態１と比較して、車両用表示装置１の代わりに車両用表示装置１ａを備えている点で異なる。
【０１２８】
車両用表示装置１ａは、表示制御部１１ａと、画像パーツデータベース１２と、表示部１３と、装置起動検知部１４とを備えている。
【０１２９】
表示制御部１１ａは、上記実施形態の表示制御部１１と比較して、画像パーツ表示情報記憶部１１５の代わりに画像パーツ表示情報記憶部１１５ａを備え、さらに、パーツ合成部１１６（車両情報画像合成部）およびパーツ合成情報記憶部１１７を備えている点で異なる。
【０１３０】
パーツ合成情報記憶部１１７は、合成する複数の画像パーツ（第一の車両情報画像）と、各画像パーツの相対位置を決定するための重心位置とを対応付けて記憶している。図２３は、パーツ合成情報記憶部１１７の一記憶例を示す図である。
【０１３１】
パーツ合成情報記憶部１１７は、例えば図２３で示されるように、合成する画像パーツとして、速度・回転数メーターＰ３・カメラ起動表示画像Ｐ９の二つを記憶している。さらに、パーツ合成情報記憶部１１７は、速度・回転数メーターＰ３の重心位置が原点であり、カメラ起動表示画像Ｐ９の重心位置が座標（０，ｙ３，０）であることを記憶している。
【０１３２】
パーツ合成部１１６は、複数の画像パーツを合成する処理を行うものである。パーツ合成部１１６は、パーツ合成情報記憶部１１７を基に、合成する画像パーツを画像パーツ一時メモリ１１２から読み出す。そして、パーツ合成部１１６は、パーツ合成情報記憶部１１７が記憶する各画像パーツの重心位置を基に、読み出した各画像パーツの相対位置を決定し、画像パーツの合成処理を行う。パーツ合成部１１６は、合成した画像パーツを画像パーツ一時メモリ１１２に格納する。なお、以下では、合成した画像パーツを合成画像パーツと称する。
【０１３３】
画像パーツ表示情報記憶部１１５ａは、表示部１３に表示する画像パーツまたは合成画像パーツの種類と、各画像パーツまたは合成画像パーツに対する回転状態と、各画像パーツまたは合成画像パーツの表示部１３における配置座標と、上記自動車状態とを対応付けて記憶するものである。
【０１３４】
＜実施例４＞
次に、本実施形態の一実施例について説明する。本実施例４の画像パーツデータベース１２は、画像パーツとして、速度・回転数メーターＰ３と、カメラ起動表示画像Ｐ９と、走行経路表示画像Ｐ１０とを記憶している。
【０１３５】
また、画像パーツ表示情報記憶部１１５ａは、図２２に示されるようなテーブルを記憶している。すなわち、画像パーツ表示情報記憶部１１５ａは、通行道路「一般道路」および装置起動時と、通行道路「有料高速道路」との各々の自動車状態に対応づけて、画像パーツまたは合成画像パーツ、および、該画像パーツまたは合成画像パーツの回転状態・配置座標を記憶している。
【０１３６】
また、パーツ合成情報記憶部１１７は、図２３に示されるようなテーブルを記憶している。
【０１３７】
次に、本実施例の処理フローを説明する。図２４は、本実施例に係る車両用表示装置１ａの処理の手順を示すフローチャートである。
【０１３８】
まず、Ｓ４１において、装置起動検知部１４は、エンジンが起動されたことを示す装置起動情報を表示制御部１１ａに出力する。
【０１３９】
次に、画像パーツ読み出し部１１１は、画像パーツ表示情報記憶部１１５ａを参照して、自動車状態「装置起動時」に対応する画像パーツ（ここでは、メーターパーツである速度・回転数メーターＰ３、および、カメラ起動表示画像Ｐ９）を決定する。そして、画像パーツ読み出し部１１１は、決定した画像パーツの３次元画像データを画像パーツデータベース１２から読み出し、読み出した画像パーツを画像パーツ一時メモリ１１２に格納する（Ｓ４２）。
【０１４０】
次に、パーツ合成部１１６は、パーツ合成情報記憶部１１７が記憶する画像パーツに対応する３次元画像データを画像パーツ一時メモリ１１２から読み出す。ここでは、パーツ合成部１１６は、速度・回転数メーターＰ３およびカメラ起動表示画像Ｐ９を画像パーツ一時メモリ１１２から読み出す。
【０１４１】
そして、パーツ合成部１１６は、図２３のテーブルを基に、速度・回転数メーターＰ３の重心位置を原点とし、カメラ起動表示画像Ｐ９の重心位置をＸＹＺ３次元座標（０，ｙ３，０）として、速度・回転数メーターＰ３およびカメラ起動表示画像Ｐ９を合成する（Ｓ４３）。パーツ合成部１１６は、速度・回転数メーターＰ３およびカメラ起動表示画像Ｐ９の合成画像パーツを画像パーツ一時メモリ１１２に格納する。
【０１４２】
図２０は、合成画像パーツを示す図である。なお、図２０では、簡略的に速度・回転数メーターＰ３の外形を長方形の板状とし、カメラ起動表示画像Ｐ９の外形を正方形の板状としている。
【０１４３】
次に、画像処理部１１３は、画像パーツ一時メモリ１１２から合成画像パーツを読み出し、画像パーツ表示情報記憶部１１５ａを参照して、自動車状態「装置起動時」および該合成画像パーツに対応する回転状態を決定する。ここでは、画像処理部１１３は、図２２に示すテーブルを参照して、速度・回転数メーターＰ３およびカメラ起動表示画像Ｐ９の合成画像パーツに対して、「基本状態」を決定する。そして、画像処理部１１３は、読み出した合成画像パーツを回転させることなく、視点位置Ａ（図２０参照）からみた基本車両情報画像を生成する。
【０１４４】
その後、画像表示処理部１１４は、表示情報センサシステム３からの表示情報（ここでは、速度センサ３１からの速度情報とエンジン回転数センサ３２からのエンジン回転数情報）およびカメラシステム５からのカメラ起動情報を付加し、合成画像パーツを表示部１３に表示させる（Ｓ４４）。
【０１４５】
このとき、画像表示処理部１１４は、画像パーツ表示情報記憶部１１５ａを参照して、自動車状態「装置起動時」および合成画像パーツに対応する配置座標（ここでは、配置座標ａ０（図３参照））を決定する。
【０１４６】
図２５は、Ｓ４４の処理後における表示部１３の表示例を示す。図２５に示されるように、表示部１３は、配置座標ａ０（図３参照）の位置に、回転していない基本状態の速度・回転数メーターＰ３およびカメラ起動表示画像Ｐ９の合成画像パーツを表示している。なお、図２５において、カメラ起動表示画像Ｐ９は、左前方、左側方、左後方のカメラが起動していることを示している。
【０１４７】
次に、ユーザが有料高速道路に入ると、表示制御部１１ａは、ＥＴＣ情報検知部２１から、通行道路が有料高速道路であることを示すＥＴＣ情報を取得する（Ｓ４５）。
【０１４８】
有料高速道路であることを示すＥＴＣ情報を取得した表示制御部１１ａにおいて、画像処理部１１３は、画像パーツ表示情報記憶部１１５ａを参照して、自動車状態「有料高速道路」および合成画像パーツに対応する回転状態として、「回転軸：Ｙ軸、回転角度：４５°」を決定する。そして、画像処理部１１３は、回転軸をＹ軸として４５°だけ回転させた合成画像パーツの回転車両情報画像を生成する（Ｓ４６）。
【０１４９】
図２１（ａ）は、回転させない基本状態の合成画像パーツの基本車両情報画像であり、図２１（ｂ）は、回転軸をＹ軸として４５°だけ回転させた合成画像パーツの回転車両情報画像である。
【０１５０】
そして、画像表示処理部１１４は、画像処理部１１３が出力する合成画像パーツの回転車両情報画像を表示部１３に表示する。
【０１５１】
次に、画像処理部１１３における回転処理が終了すると、画像パーツ読み出し部１１１は、画像パーツ表示情報記憶部１１５ａを参照して、自動車状態「有料高速道路」に対応する画像パーツ（ここでは、走行経路表示画像Ｐ１０）を表示すべき画像パーツであると判断する。このとき、画像パーツ読み出し部１１１は、画像パーツ一時メモリ１１２を参照して、既に速度・回転数メーターＰ３およびカメラ起動表示画像Ｐ９を読み出していることを認識し、走行経路表示画像Ｐ１０のみが追加すべき画像パーツであると判断する。そして、画像パーツ読み出し部１１１は、追加すべき画像パーツである走行経路表示画像Ｐ１０の３次元画像データを画像パーツ一時メモリ１１２から読み出し、読み出した３次元画像データを画像パーツ一時メモリ１１２に格納する。
【０１５２】
画像パーツ一時メモリ１１２に走行経路表示画像Ｐ１０が格納されると、画像処理部１１３は、画像パーツ表示情報記憶部１１５ａ（図２２参照）を基に、自動車状態「有料高速道路」および該走行経路表示画像Ｐ１０に対応する回転状態（ここでは、「基本状態」）を決定する。そして、画像処理部１１３は、回転させることなく基本状態の走行経路表示画像Ｐ１０の基本車両情報画像を生成する。その後、画像表示処理部１１４は、画像パーツ表示情報記憶部１１５を基に、自動車状態「有料高速道路」および該走行経路表示画像Ｐ１０に対応する配置座標（ここでは、配置座標ｅ（図３参照））を決定し、表示部１３に走行経路表示画像Ｐ１０を表示させる（Ｓ４７）。
【０１５３】
なお、このとき、画像表示処理部１１４は、ナビゲーションシステム４から走行経路情報を取得し、取得した情報を付加した走行経路表示画像を表示する。
【０１５４】
図２６は、Ｓ４７の処理後における表示部１３の表示例を示す。図２６に示されるように、画像処理部１１３は、速度・回転数メーターＰ３およびカメラ起動表示画像Ｐ９の合成画像パーツを回転させ、車両情報画像の縦幅を狭くする。これにより、表示部１３において、追加画像を表示させるためのスペースが広くなる。
【０１５５】
さらに、画像表示処理部１１４は、合成画像パーツの配置座標を配置座標ａ０からａ１（図３参照）とすることで、合成画像パーツの下方のスペースをより一層広げている。
【０１５６】
これにより、画像表示処理部１１４は、は、追加画像である走行経路表示画像Ｐ１０を表示部１３に表示させることができる。その結果、ユーザは、有料高速道路を通行中に知りたい情報を、メーターパーツとともに表示部１３で確認することができる。
【０１５７】
次に、ユーザが有料高速道路から一般道路に出ると、表示制御部１１ａは、ＥＴＣ情報検知部２１から通行道路が一般道路であることを示すＥＴＣ情報を取得する（Ｓ４８）。
【０１５８】
一般道路であることを示すＥＴＣ情報を取得した表示制御部１１ａでは、画像パーツ読み出し部１１１および画像表示処理部１１４は、画像パーツ表示情報記憶部１１５ａを参照して、自動車状態「一般道路」に対応する画像パーツに走行経路表示画像Ｐ１０が含まれないことを認識する。そして、画像パーツ読み出し部１１１は、該走行経路表示画像Ｐ１０に対応する３次元画像データを画像パーツ一時メモリ１１２から削除するとともに、画像表示処理部１１４は、該走行経路表示画像Ｐ１０を表示部１３に表示させない（Ｓ４９）。
【０１５９】
その後、画像処理部１１３は、画像パーツ表示情報記憶部１１５ａを参照して、自動車状態「一般道路」および合成画像パーツに対応する回転状態として「基本状態」を決定する。そして、画像処理部１１３は、合成画像パーツを基本状態に戻して、基本車両情報画像を生成する。その後、画像表示処理部１１４は、該基本車両情報画像を表示部１３に表示する。これにより、表示部１３は、図２５に示されるような合成画像パーツの通常表示を行う（Ｓ５０）。
【０１６０】
その後、車両用表示装置１は、ユーザからの指示により電源の供給が停止され、処理を終了する。
【０１６１】
なお、上記実施形態１・２では、画像処理部１１３は、画像パーツまたは合成画像パーツを、Ｙ軸またはＺ軸に対して、右回りまたは左回りに４５°だけ回転させた。しかしながら、回転軸は、Ｙ軸、Ｚ軸に限られない。例えば、原点を通らないＹ軸に平行な直線やＺ軸に平行な直線であってもよい。さらには、Ｘ，Ｙ，Ｚ軸に平行ではない任意の直線を回転軸としてもよい。また、回転角度も４５°に限られず、０〜３６０°の任意の値をとってもよい。これにより、画像パーツを任意の方向に回転させることができ、複数の画像パーツを表示部１３に表示させるとき、各画像パーツの配置のバリエーションが豊富となる。
【０１６２】
また、上記実施例では装置起動ステップの後、メーターパーツの通常表示ステップとしているが、例えば、有料高速道路のパーキングエリアでユーザが休憩を取り、その後、装置を起動する場合も考えられることから、メーターパーツの読み出しステップの次にＥＴＣ情報取得ステップを設けてもよい。これらステップの順序は適時変更してもよい。
【０１６３】
また、上記実施形態では、車両走行状態として、通行道路の状態（一般道路であるか高速道路であるか）、エンジンの起動状態、車両の発進状態を例に挙げた。しかし、車両走行状態は、これらに限られない。
【０１６４】
例えば、速度センサ３１から出力される速度信号やサイドブレーキのＯＮ／ＯＦＦ、ナビゲーションシステムからの情報であってもよく、また車両の進行方向状態（すなわち、車両が直進、後進、左折、右折のいずれを行っているか）であってもよい。この場合、車両走行状態検知部は、シフトポジションの位置（Ｄ、Ｒ、Ｎなど）、方向指示器からの情報を基に、上記進行方向状態を検知する。
【０１６５】
また実施例３において、ステップＳ２７の発進の有無を発進検知部２２によって検知しているが、例えば速度センサ３１から出力される速度信号やシフトポジションの位置（Ｐ、Ｄ、Ｒなど）、サイドブレーキのＯＮ／ＯＦＦによって、車内情報の表示の有無を決定してもよい。
【０１６６】
また、上記実施例では、所定の１つの軸（例えばＹ軸）を基準として回転させているが、所定の２つの軸（例えばＸ軸とＹ軸）を基準として回転させてもよい。その場合、例えばＸ軸を基準とした回転を行った後、Ｙ軸を基準とした回転を行ってもよく、Ｘ軸を基準とした回転とＹ軸を基準とした回転を同時に行ってもよい。
【０１６７】
また、上記実施形態では、視点位置を固定し、画像パーツを回転させる構成とした。しかしながら、画像パーツを固定し、視点位置を画像パーツに対して回転させる構成であってもよい。いずれにしても、視点位置と画像パーツとの相対位置関係は同様であるからである。いずれを固定化するかは、画像処理部１１３における処理プログラムにより容易に変更できる。なお、視点位置を変更する場合、画像パーツ情報記憶部１１５は、各画像パーツと、視点位置とを対応付けて記憶する。
【０１６８】
また、上記実施形態１・２では、画像処理部１１３は、ＥＴＣ情報検知部２１、発進検知部２２および装置起動検知部１４からの車両走行状態情報に応じて、画像パーツを回転する構成とした。これにより、車両用表示装置は、走行状態に応じて、該走行状態に適した表示を自動的に行うことができる。そのため、ユーザは特別な操作を行う必要がない。
【０１６９】
しかしながら、ユーザによって所望する画像が表示されない場合もある。例えば、高速道路を走行中に、車内温度表示画像Ｐ８を確認したい場合もある。そのため、画像処理部１１３は、図示しない操作部に入力されたユーザからの指示に応じて、画像パーツ（例えば、速度メーター）を回転させて表示部１３に空きスペースを設け、該空きスペースに画像表示処理部１１４がユーザ所望の画像パーツを表示してもよい。これにより、ユーザは、速度メーターと車内温度表示画像との両方を確認することができる。
【０１７０】
また、画像処理部１１３は、カメラシステム５の指示や、ナビゲーションシステム４の指示に応じて、いままで表示していた画像パーツ（例えば、速度メーター）を回転させて表示部１３に空きスペースを設けてもよい。そして、画像表示処理部１１４が、該空きスペースにカメラシステム５の映像や、ナビゲーションシステム４の地図情報などを表示してもよい。これにより、ユーザは、速度メーターと、カメラシステム５の映像やナビゲーションシステム４の地図情報との両方を確認することができる。
【０１７１】
また、シフトポジションが“Ｐ”（パーキング）の際には、画像パーツ（例えば、速度メーター）をいずれかの軸を基準としていずれかの方向に９０度回転させ、速度メーターが表示されない状態としてもよい。この場合は、車両は停止しているので速度メーターが表示されなくても問題がなく、そのため、本来速度メーターが表示される領域を用いて別の画像（例えば、ナビゲーション画像、カメラ画像やＴＶ画面等）を大きく表示させることができる。その後、シフトポジションが“Ｐ”以外の位置に変化した際には、車両が停止状態から走行可能状態に変化するので、速度メーターを先ほどの軸を基準として逆方向に９０度回転させて、速度メーターを表示させることができる。
【０１７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１７３】
なお、上記実施形態の車両用表示装置１・１ａの各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の車両用表示装置の各種機能および各種処理を実現することができる。また、上記プログラムをリムーバブルな記録媒体に記録することにより、任意のコンピュータ上で上記の各種機能および各種処理を実現することができる。
【０１７４】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１７５】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１７６】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１７７】
また、インターネットを含む通信ネットワークを接続可能なシステム構成であれば、通信ネットワークからプログラムをダウンロードするように流動的にプログラムを担持する記録媒体であることが好ましい。
【０１７８】
さらに、このように通信ネットワークからプログラムをダウンロードする場合には、そのダウンロード用のプログラムは予め本体装置に格納しておくか、あるいは別な記録媒体からインストールされるものであることが好ましい。
【０１７９】
また、上記実施形態については、画像生成部によって車両情報画像を回転処理したが、これに限られるものではなく、例えば基本となる第１の車両情報画像と複数種類の第２の車両情報画像を予めメモリ等の記憶手段に記憶させ、これらを車両の走行状態やユーザからの指示に応じて、いずれかの車両情報画像を表示させるか選択する選択手段を設けてもよい。
【産業上の利用可能性】
【０１８０】
本発明に係る車両用表示装置は車両情報画像の視認性が向上できるので、例えば自動車に搭載される車両用表示装置に適用できる。
【図面の簡単な説明】
【０１８１】
【図１】本発明の実施形態を示すものであり、車両用表示装置を含む車両表示システムの概略ブロック図である。
【図２】図１に示す車両用表示装置が備える画像パーツデータベースに記憶された画像パーツの一例を示す図である。
【図３】図１に示す車両用表示装置が備える表示部と、画像パーツを表示する場所を示す配置座標との関係を示す図である。
【図４（ａ）】図２に示す画像パーツを回転させていないときの第１の車両情報画像である。
【図４（ｂ）】上記画像パーツを回転させたときの第２の車両情報画像である。
【図５】実施例１における画像パーツ表示情報記憶部の記憶例を示す図である。
【図６】実施例１における車両用表示装置の処理の手順を示すフローチャートである。
【図７】一般道路走行中における実施例１の表示部の表示例を示す図である。
【図８】高速道路走行中における実施例１の表示部の表示例を示す図である。
【図９】実施例２における画像パーツ表示情報記憶部の記憶例を示す図である。
【図１０】実施例２における車両用表示装置の処理の手順を示すフローチャートである。
【図１１】一般道路走行中における実施例２の表示部の表示例を示す図である。
【図１２】高速道路走行中における実施例２の表示部の表示例を示す図である。
【図１３（ａ）】速度メーターまたはエンジン回転数メーターを示す簡略図であり、回転させていないときの第１の車両情報画像である。
【図１３（ｂ）】速度メーターまたはエンジン回転数メーターを示す簡略図であり、回転させたときの第２の車両情報画像である。
【図１４】実施例３における画像パーツ表示情報記憶部の記憶例を示す図である。
【図１５】実施例３における車両用表示装置の処理の手順を示すフローチャートである。
【図１６】装置起動時における実施例３の表示部の表示例を示す図である。
【図１７】発進後における実施例３の表示部の表示例を示す図である。
【図１８（ａ）】速度メーターまたはエンジン回転数メーターを示す簡略図であり、回転させていないときの第１の車両情報画像である。
【図１８（ｂ）】速度メーターまたはエンジン回転数メーターを示す簡略図であり、Ｚ軸を回転軸として左回りに４５°回転させたときの第２の車両情報画像である。
【図１８（ｃ）】速度メーターまたはエンジン回転数メーターを示す簡略図であり、Ｚ軸を回転軸として右回りに４５°回転させたときのみたときの第２の車両情報画像である。
【図１９】本発明の他の実施形態を示すものであり、車両用表示装置を含む車両表示システムの概略ブロック図である。
【図２０】図１９に示すパーツ合成部が合成する二つの画像パーツを示す図である。
【図２１（ａ）】合成画像パーツを示す簡略図であり、回転させていないときの第１の車両情報画像である。
【図２１（ｂ）】合成画像パーツを示す簡略図であり、回転させたときの第２の車両情報画像である。
【図２２】図１９における画像パーツ表示情報記憶部の記憶例を示す図である。
【図２３】図１９におけるパーツ合成情報記憶部の記憶例を示す図である。
【図２４】実施例４における車両用表示装置の処理の手順を示すフローチャートである。
【図２５】一般道路走行中における実施例４の表示部の表示例を示す図である。
【図２６】高速道路走行中における実施例４の表示部の表示例を示す図である。
【符号の説明】
【０１８２】
１    車両用表示装置
１３    表示部
１４    装置起動検知部（車両走行状態検知部）
２１    ＥＴＣ情報検知部（車両走行状態検知部）
２２    発進検知部（車両走行状態検知部）
１１３    画像処理部（画像生成部）
１１４    画像表示処理部
【図１】
2007537908.tif 000003
【図２】
2007537908.tif 000004
【図３】
2007537908.tif 000005
【図４（ａ）】
2007537908.tif 000006
【図４（ｂ）】
2007537908.tif 000007
【図５】
2007537908.tif 000008
【図６】
2007537908.tif 000009
【図７】
2007537908.tif 000010
【図８】
2007537908.tif 000011
【図９】
2007537908.tif 000012
【図１０】
2007537908.tif 000013
【図１１】
2007537908.tif 000014
【図１２】
2007537908.tif 000015
【図１３（ａ）】
2007537908.tif 000016
【図１３（ｂ）】
2007537908.tif 000017
【図１４】
2007537908.tif 000018
【図１５】
2007537908.tif 000019
【図１６】
2007537908.tif 000020
【図１７】
2007537908.tif 000021
【図１８（ａ）】
2007537908.tif 000022
【図１８（ｂ）】
2007537908.tif 000023
【図１８（ｃ）】
2007537908.tif 000024
【図１９】
2007537908.tif 000025
【図２０】
2007537908.tif 000026
【図２１（ａ）】
2007537908.tif 000027
【図２１（ｂ）】
2007537908.tif 000028
【図２２】
2007537908.tif 000029
【図２３】
2007537908.tif 000030
【図２４】
2007537908.tif 000031
【図２５】
2007537908.tif 000032
【図２６】
2007537908.tif 000033
【国際調査報告】
2007537908.tif 000034